(57)【要約】【課題】前後方向に反りを生じている扉などであっても容易に取付施工を行うことができるように、扉の前後方向の位置調整を可能にした扉支持装置を提供する。【解決手段】上部扉側部材の上部ピンが上枠側部材の穴２８に回転可能に挿入されることにより扉上部がピン支承される扉支持装置において、上枠側部材２７が、上枠に固定される取付片４２と、この取付片に対して扉前後方向にスライド移動可能に設けられる可動片４３とから成る。可動片は、取付片と上枠との間に挟まれる主部４３ａと、この主部から扉前方に延在する突出部４３ｂとから成る。上部ピンが挿入される穴２８は突出部４３ｂに設けられる。【選択図】図５
2008008107.tif 000002
【特許請求の範囲】
【請求項１】
扉の幅方向一側の上部に固定される上部扉側部材と、上部扉側部材と上下に対向する位置において扉開口部の上枠に固定される上枠側部材とから成り、上部扉側部材の上部ピンが上枠側部材の穴に回転可能に挿入されることにより扉上部がピン支承される扉支持装置において、上枠側部材が、上枠に固定される取付片と、この取付片に対して扉前後方向にスライド移動可能に設けられる可動片とから成り、可動片に前記上部ピンが挿入される穴が設けられることを特徴とする扉支持装置。
【請求項２】
取付片は上枠に固定するための固定具を挿通する取付孔を有すると共に、可動片は該固定具を挿通する長孔および／またはスリットを有し、可動片の扉前後方向スライド移動を許容しつつ取付片および可動片を固定可能であることを特徴とする、請求項１記載の扉支持装置。
【発明の詳細な説明】
【技術分野】
【０００１】
本発明は、扉をピン支承により回転可能に支持する扉支持装置に関する。
【背景技術】
【０００２】
扉をピン支承により回転可能に支持する扉支持装置としては、下記特許文献１に記載されるものがある。
【特許文献１】特開２００５−１３３５２６号公報  この従来技術によれば、扉の幅方向一側の上部を扉枠の上枠に対してピン支承する上部扉支持装置が上部扉側部材と上枠側部材とから成り、該一側の下部を床に対してピン支承する下部扉支持装置が下部扉側部材と床側部材とから成る。
【０００３】
この扉支持装置は、扉の左右方向および上下方向の位置を微調整する機構を有している。
【発明の開示】
【発明が解決しようとする課題】
【０００４】
この従来技術による扉支持装置は、前述のように扉の左右方向および上下方向の位置を微調整することができるが、扉の前後方向の位置調整を行うことができない。このため、前後方向に反る変形を生じている扉などにあっては取付施工に支障を来すことがあった。
【０００５】
したがって、本発明の課題は、前後方向に反りを生じている扉などであっても容易に取付施工を行うことができるように、扉の前後方向の位置調整を可能にした扉支持装置を提供することである。
【課題を解決するための手段】
【０００６】
この課題を解決するため、請求項１に係る本発明は、扉の幅方向一側の上部に固定される上部扉側部材と、上部扉側部材と上下に対向する位置において扉開口部の上枠に固定される上枠側部材とから成り、上部扉側部材の上部ピンが上枠側部材の穴に回転可能に挿入されることにより扉上部がピン支承される扉支持装置において、上枠側部材が、上枠に固定される取付片と、この取付片に対して扉前後方向にスライド移動可能に設けられる可動片とから成り、可動片に前記上部ピンが挿入される穴が設けられることを特徴とする。
【０００７】
請求項２に係る本発明は、請求項１記載の扉支持装置において、取付片は上枠に固定するための固定具を挿通する取付孔を有すると共に、可動片は該固定具を挿通する長孔および／またはスリットを有し、可動片の扉前後方向スライド移動を許容しつつ取付片および可動片を固定可能であることを特徴とする。
【０００８】
本発明の扉支持装置は、扉枠を有し、その扉枠の開口部に水平面内での回転によって開閉する扉に適用可能である。この場合、扉は片側開きであっても両側開き（観音開き）であっても良い。扉枠は、上枠と一対の縦枠を有する三方枠（または略門形）である。ピン支承はピボットヒンジに相当し、ピン周りの回転運動のみが自由で、軸方向や軸に直角の方向の移動を規制する支承方式である。
【発明の効果】
【０００９】
請求項１に係る扉支持装置によれば、扉の上部をピン支承するための上枠側部材が、上枠に固定される取付片と、取付片に対して扉前後方向にスライド移動可能に設けられる可動片とから成り、上部扉側部材の上部ピンが挿入される穴が可動片に設けられるので、扉の前後方向の位置調整が可能となり、前後方向に反りを生じている扉などであっても容易に取付施工を行うことができる。
【００１０】
請求項２に係る扉支持装置によれば、取付片は上枠に固定するための固定具を挿通する取付穴を有すると共に、可動片は該固定具を挿通する長孔および／またはスリットを有するので、可動片の扉前後方向のスライド移動を許容しつつ取付片を上枠に固定することができ、且つ、これにより可動片をも固定することができるので、上枠側部材の取付施工が容易である。
【発明を実施するための最良の形態】
【００１１】
図１は、本発明に係る扉支持装置を適用した扉装置の実施形態を示す正面図である。この扉装置は、扉枠１と床１３で形成される開口部１４に扉１７を設けたものである。扉枠１は、上枠３および左右縦枠５、６を有する三方枠（または門形枠）で、バリアフリーのために下枠が無い。扉１７は片開きで、この実施形態では右縦枠６側を回転軸として、扉枠１の開口部１４に対して水平面内で回転するように取り付けられる。
【００１２】
扉枠１および扉１７の材質は特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などを使用することができる。たとえば主として木質繊維板（ＭＤＦなど）で形成され、表面に化粧材が設けられたものを扉枠１および扉１７に用いることができる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００１３】
扉１７は、その幅方向１９の右側（一側）２１の上部および下部において、それぞれ上部扉支持装置２５および下部扉支持装置５０によりピボットヒンジ（ピン支承）により支持される。ピボットヒンジは、その軸が垂直方向に設けられたピン周りの水平面内での回転が可能である。また、扉１７の左側（他側）で中間高さ位置寄りには取手２４が設けられる。
【００１４】
床１３は、木質材、無機材など材料には限定されないが、特に木質系材料で形成した床材の場合には下部扉支持装置５０の床側部材６０の固定を木ねじ、釘などで固定することができる。木質系材料は、合板、木質繊維板（ＭＤＦなど）、木削片板、単板積層板などである。床１３の表面には化粧材が設けられるが、扉枠１および扉１７について既述した化粧材と同じ材質のものを使用することができる。
【００１５】
図２は図１におけるＡ−Ａ線断面図であり、図３は図１におけるＢ−Ｂ線断面図である。扉１７が閉じられた状態で扉１７は左右縦枠５、６および上枠３の幅方向中央に設けられた戸当り８，９，１０に当接する。扉１７の閉じ側となる縦枠５の戸当り８および上枠３の戸当り１０には緩衝片１１，１２が設けられる。緩衝片１１，１２は、扉１７が閉じられた際の衝撃と衝撃音を小さくする。
【００１６】
図３と共にさらに図４〜図６を参照して、上部扉支持装置２５の詳細構成について説明する。上部扉支持装置２５は、扉枠１の上枠３側に固定される上枠側部材２７と、扉１７の上部に固定される上部扉側部材２９を有する。
【００１７】
上部扉側部材２９は、板状の取付片２９ａと、この取付片２９ａの一辺片側寄りから垂下する垂下片２９ｂと、この垂下片２９ｂの両側から扉前方に向けて突出する一対の軸受片２９ｃ，２９ｄとを有する。取付片２９ａは３箇所のビス孔３０を有し、各ビス孔３０に通したビス（図示せず）により扉１７の上木口１８に固定される。
【００１８】
上部扉側部材２９の垂下片２９ｂおよび軸受片２９ｃ，２９ｄで囲まれる空間内にはブロック３５が装着される。ブロック３５は、矩形断面部分３５ａと、略円形断面部分３５ｂとを有して一体に形成された部材であり、その矩形断面部分３５ａを水平方向に貫通する雌ねじ３６が形成されている。
【００１９】
上部扉側部材２９の軸受片２９ｃ，２９ｄには、水平方向に整列した位置に皿状孔（符号なし）が設けられ、外周に雄ねじ３８が形成された水平方向調整ねじ３７がこれら皿状孔に挿入されると共にブロック矩形断面部分３５ａの雌ねじ３６に螺合される。水平方向調整ねじ３７の先端（図４において右端）側は回動可能なように拡径してかしめられる。このような構成において、水平方向調整ねじの頭３７ａを回動操作すると、水平方向調整ねじ３７が、軸受片２９ｃ，２９ｄに対しては相対的位置を変えずに回動するので、ブロック３５およびブロック３５と一体に構成される後述する上部ピン３１が水平調整ねじ３７の長手方向（図４において左右方向）に移動する。これにより、上部扉支持装置２５において上部扉側部材２９の位置を扉１７の幅方向に微調整することができる。
【００２０】
上部扉側部材２９は、上下方向に摺動可能であり、コイルばね３４により常に上向きに付勢されている上部ピン３１を有しており、この上部ピン３１の先端が上枠側部材２７の穴２８に回動可能に嵌入した状態とすることによりピン支承される。
【００２１】
上部ピン３１は、ブロック３５の略円形断面部分３５ｂの略中央を上下に貫通するピン挿通孔（符号なし）に嵌入されてコイルばね３４に上向き付勢されつつ該穴に対して摺動可能であり、その先端３１ａがコイルばね３４の付勢によりブロック３５から上方に突出して、上枠側部材２７の穴２８に嵌入する。上部ピン３１の基端部には端板３１ｂが固着されている。
【００２２】
以上に述べた上部扉側部材２９が有する部材、すなわち垂下片２９ｂ、軸受片２９ｃ，２９ｄ、ブロック３５、上部ピン３１およびこれらに関連する部材は、その周囲を側壁カバー３２で覆われている。側壁カバー３２の下方には、略皿状ないし蓋状の下面カバー３８が冠着される。下面カバー３８の水平底面上には抑えガイド３９が固着され、上部ピン３１下端の端板３１ｄを相対的上下移動不能且つ若干の左右方向移動を許容するように係止している。したがって、上部ピン３１を上向き付勢するコイルばね３４の付勢力によって、下面カバー３８を下方に引き下げる力が作用しない限り、下面カバー３８は側壁カバー３２に密接する冠着状態に保持される。この冠着状態において、側壁カバー３２の側面３２ｂと下面カバー３８の側面３８ａは略面一となって外観上一体化したカバー構造体を与える。側壁カバー３２および下面カバー３８は合成樹脂や金属材料などで形成される。
【００２３】
この上部扉側部材２９によれば、上部ピン３１を含むすべての構成要素が側壁カバー３２と下面カバー３８とに包囲されているので、ゴミやホコリなどの異物が入り込んで機能を阻害することがない。さらに、この上部扉側部材２９では、下面カバー３８自体が、扉上部におけるピン支承を解除するための操作部（従来技術におけるつまみに相当するもの）として機能するが、側壁カバー３２と一体化した外観を与えているので、誤操作によって上部ピン３１が穴２８から外れてしまう危険性を回避ないし低減させることができる。
【００２４】
符号４０は下面カバー３８の一端から直立するガイドピンであり、側壁カバー３２に形成されたピン孔４１に挿入されることにより、下面カバー３８を引き下げたときの回り止めとして機能する。
【００２５】
上枠側部材２７は、図５に示すように、取付片４２と可動片４３とを有して構成される。取付片４２は略平板状であるが、その両側の中間部分が切り込まれて上方に立ち上げられ且つ内方に折り込まれて爪４４を形成している。両側の爪４４の外側面は取付片４２の全体幅寸法Ｗ１に等しく、突出しないように収められている。また、取付片４２には４箇所に円形の取付孔４５が設けられる。
【００２６】
一方、可動片４３の全体幅寸法Ｗ２は取付片４２の全体幅寸法Ｗ１に等しく形成され、取付片４２上に重なる主部４３ａと、この主部４３ａから一体に延在する突出部４３ｂとから成る。主部４３ａの両側中間部分にはスライド面４３ｃが設けられ、このスライド面４３ｃが爪４４に係止されることにより、取付片４２に対して可動片４３が図５左右方向（取付状態において扉１７の前後方向）にスライド移動可能に設けられる。主部４３ａには、取付片４２における４箇所の取付孔４５と対応する位置に長孔４６およびスリット４７が設けられる。突出部４３ｂは、上部扉側部材２９の上部ピン３１の先端３１ａを受け入れるための穴２８（図４（ａ））を有し、また、その上面を被覆する蓋４８が設けられている。
【００２７】
以上の構成により、可動片４３は図５左右方向にスライド移動可能であるので、取付片４２と上枠３下面との間に可動片４３の主部４３ａを挟んだ状態でビス（図示せず）を長孔４６またはスリット４７および取付孔４５を介して上枠３下面にねじ込んで仮止めした状態とした後、上部ピン３１を穴２８に挿入すると共に適宜可動片４３を上枠３に対して扉前後方向にスライド移動させて、扉１７の前後方向の位置を調整することができる。このとき、取付片４２の位置決めに際しては、上枠３の下面前方にあらかじめ切欠凹部４８を、取付片４２と可動片４３の板厚合計に相当する深さを有するものとして形成しておき、その奥端に取付片４２の後端４２ａを突き当てるようにして位置決めすると良い。扉前後位置を調整した後、前記ビスをねじ込んで取付片４２を上枠３に固定する。取付片４２が上枠３に固定されることにより、可動片４３の主部４３ａもそれらの間に固定され、突出部４３ｂが扉１７の上部前方に突出した状態となる。
【００２８】
図３と共にさらに図７および図８を参照して、下部扉支持装置５０の詳細構成について説明する。下部扉支持装置５０は、扉１７の下部に固定される下部扉側部材５２と、床１３に固定される床側部材６０を有する。下部扉側部材５２は、上部扉支持装置２５の上部扉側部材２９に対して上下に対向する位置に設けられ、その形状は上部の上部扉側部材２９に対して略反対勝手である。下部扉支持装置５０における下部扉側部材５２は、下部ピン６１に対して水平方向（図７の左右方向）に微調整可能であるので、扉１７の下部を扉枠１に対して適正な位置に建付け調整することができる。さらに、下部扉側部材５２は、下部ピン６１に対して上下方向に微調整可能であるので、扉１７の下部を床に対して適正な高さ位置に建付け調整することができる。上部扉支持装置２５の上部扉側部材２９に設けられる上部ピン３１は上下方向に摺動可能であるので、下部ピン６１の上下方向の高さ調整に応じて上部ピン３１が上下摺動する。
【００２９】
下部扉支持装置５０の下部扉側部材５２と床側部材６０とは、床側部材６０に設けられる下部ピン６１が下部扉側部材５２に設けられる孔（図示せず）に挿入されることによりピン支承される。下部扉側部材５２に設けられる孔に下部ピン６１が差し込まれることにより下部扉側部材５２がピン先端に載置され、下部ピン６１は略扉１７の重量を支える。
【００３０】
床側部材６０は、前述の下部ピン６１が座板６２から上方に突出するように設けられて成る。座板６２には２箇所に長孔６３が設けられ、これら長孔６３に通したビス（図示せず）により床１３（図１，図３）に固定される。
【００３１】
下部扉側部材５２は、板状の取付片５３ａと、この取付片５３ａの一辺片側寄りから垂立する垂立片５３ｂと、この垂立片５３ｂの両側から前方に突出する一対の軸受片５３ｃ，５３ｄと、これら垂立片５３ｂおよび軸受片５３ｃ，５３ｄを覆う着脱可能な下部カバー５４とを有する。取付片５３ａは３箇所のビス孔６６を有し、各ビス孔６６に通したビス（図示せず）により扉１７の下木口１６に固定される。
【００３２】
下部扉側部材５２の垂立片５３ｂおよび軸受片５３ｃ，５３ｄで囲まれる空間内にはブロック５５が装着される。ブロック５５は、矩形断面部分５５ａと、湾曲形状断面部分５５ｂとを有して一体に形成された部材であり、その矩形断面部分５５ａを水平方向に貫通する雌ねじ（符号なし）が形成されている。
【００３３】
下部扉側部材５２の軸受片５３ｃ，５３ｄには、水平方向に整列した位置に皿状孔（符号なし）が設けられ、外周に雄ねじ（符号なし）が形成された水平方向調整ねじ５６がこれら皿状孔に挿入されると共にブロック矩形断面部分５５ａの雌ねじに螺合される。水平方向調整ねじ５６の先端（図７において右端）側は回動可能なように拡径してかしめられる。このような構成において、水平方向調整ねじ５６の頭部（図７において左端）を回動操作すると、水平方向調整ねじ５６が、軸受片５３ｃ，５３ｄに対しては相対的位置を変えずに回動するので、ブロック５５が水平方向調整ねじ５６の長手方向（図７の左右方向）に移動する。これにより、下部扉支持装置５０において下部扉側部材５２の位置を扉１７の幅方向に微調整することができる。
【００３４】
また、ブロック５５の湾曲形状断面部分５５ｂを上下方向に貫通する孔５５ｃが、下部ピン６１が回動可能に挿入できる大きさを有するものとして設けられている。孔５５ｃには、その略全長に亘って内周に雌ねじ５５ｄが形成され、この雌ねじ５５ｄに上下方向調整ねじ５７が螺合している。また、上下方向調整ねじ５７の下面に接して座板５８が設けられており、下部ピン６１との間に介在している。座板５８は上下方向調整ねじ５７の回動を円滑にする。座板５８には所定箇所に突起（図示せず）が形成され、この突起が孔５５ｃの縦軸方向に形成される細溝（図示せず）に嵌入されることで回り止めされている。
【００３５】
以上の構成において、上下方向調整ねじ５７を回動すると、孔５５ｃ内周の雌ねじ５５ｄとの螺合を介して上下方向調整ねじ５７が上下方向に移動し、これにより下部扉側部材５２が上下移動するので、扉１７の高さを微調整することができる。
【００３６】
下部カバー５４は下部扉側部材５２の略全体を包囲しており、磁石６４により装着され且つ取り外し可能である。磁石６４はカバー５４の内側に接着、かしめなどの任意の手法で固定され、下部扉側部材５２の構成要素のうち鋼などの金属で形成されるもの（たとえば取付片５３ａ、垂立片５３ｂ、軸受片５３ｃ，５４ｄ、ピン６１）に吸引されて下部カバー５４の装着状態を安定化する。
【図面の簡単な説明】
【００３７】
【図１】本発明に係る扉支持装置を適用した扉装置の一実施形態を示す正面図である。
【図２】図１におけるＡ−Ａ線断面図である。
【図３】図１におけるＢ−Ｂ線断面図である。
【図４】図１における上部扉支持装置の一実施形態の詳細構成を示し、（ａ）はその正面図、（ｂ）は図４（ａ）におけるＣ−Ｃ線断面図である。
【図５】この上部扉支持装置の上枠側部材を示し、（ａ）はその平面図、（ｂ）はその正面図である。
【図６】図５（ａ）におけるＤ−Ｄ線断面図である。
【図７】図１における下部扉支持装置の一実施形態の詳細構成を示す平面図（ａ）および正面図（ｂ）である。
【図８】図７の下部扉支持装置の床側部材を示し、（ａ）はその平面図、（ｂ）はその正面図である。
【符号の説明】
【００３８】
１  扉枠
３  上枠
５，６  縦枠
１３  床
１６  扉の下木口
１７  扉
１８  扉の上木口
２５  上部扉支持装置
２７  上枠側部材
２８  穴
２９  上部扉側部材
３１  上部ピン
３４  コイルばね
３７  水平方向調整ねじ
４２  取付片
４３  可動片
４４  爪
５０  下部扉支持装置
５２  下部扉側部材
５４  下部カバー
５６  水平方向調整ねじ
５７  上下方向調整ねじ
６０  床側部材
【図１】
2008008107.tif 000003
【図２】
2008008107.tif 000004
【図３】
2008008107.tif 000005
【図４】
2008008107.tif 000006
【図５】
2008008107.tif 000007
【図６】
2008008107.tif 000008
【図７】
2008008107.tif 000009
【図８】
2008008107.tif 000010